(57)【要約】【課題】上枠を天井内に配設した場合でも、取り付け作業及び引戸の高さ調整を簡便に行うことのできる上吊式引戸装置を提供すること。【解決手段】上枠２ａに取り付けた上吊用レール３に、戸車７を配設した上吊用ブラケット５を介して引戸４を取り付けるようにした上吊式引戸装置１において、前記上吊用ブラケット５を取り付けるフレーム６を引戸４の上骨４ａ内に配設し、引戸４の上骨４ａには上吊用ブラケット５とフレーム６との連結作業用の作業穴８を開口するとともに、連結後に化粧蓋９で作業穴８を塞ぐようにする。【選択図】図１
2009068171.tif 000002
【特許請求の範囲】
【請求項１】
上枠に取り付けた上吊用レールに、戸車を配設した上吊用ブラケットを介して引戸を取り付けるようにした上吊式引戸装置において、前記上吊用ブラケットを取り付けるフレームを引戸の上骨内に配設し、引戸の上骨には上吊用ブラケットとフレームとの連結作業用の作業穴を開口するとともに、連結後に化粧蓋で作業穴を塞ぐようにしたことを特徴とする上吊式引戸装置。
【請求項２】
前記フレームには縦方向の長穴を開口し、上吊用ブラケットに穿孔したネジ穴と縦方向の位置調整を可能とするとともに、上吊用ブラケットには位置決め孔を穿孔し、縦方向の位置が決まった後に前記位置決め孔を介してフレームにネジ穴を穿孔可能としたことを特徴とする請求項１記載の上吊式引戸装置。
【請求項３】
上枠の側面のうち天井面よりも下側に見える範囲を、上枠の側面長さの０〜５％以内としたことを特徴とする請求項１又は２記載の上吊式引戸装置。
【発明の詳細な説明】
【技術分野】
【０００１】
本発明は、上吊式引戸装置に関し、特に、上吊用レールの戸車と引戸の取り付け及びその調整を簡便に行うことのできる上吊式引戸装置に関するものである。
【背景技術】
【０００２】
従来、上吊式引戸装置としては、図５〜図７に示すような上吊式引戸装置が提案されている。
【０００３】
この上吊式引戸装置３０は、壁面の開放部（出入口部）に取り付ける上枠２ａ、下枠２ｃ及び左右の両竪枠２ｂ、２ｂからなる引戸枠部材２と、上枠２ａに取り付けた複数（図例では２本）の上吊用レール３と、上吊用レール３に戸車７を配設した上吊用ブラケット５０を介して取り付けた引戸４とから構成されている。
【０００４】
上吊用レール３は、開放側を下向きにした断面Ｃ字状構造とし、上吊用ブラケット５０の上部に配備した戸車７を、上吊用レール３の下方両端から内側に向かって突設するリップ部３ａに載置する。
そして、上枠２ａに１本以上（図例２本）の上吊用レール３を平行に配備し、上吊用レール３の間にスペーサＳをボルト等の固定手段（図示省略）により所定間隔に取り付けることによって上吊用レール３の位置決めを行う。
【０００５】
上吊用レール３は、ボルト等の固定手段（図示省略）により上枠２ａに固定するようにしている。
【０００６】
引戸４は、下骨、上骨４ａ及び両竪骨４ｂ、４ｂによって枠組みし、表面に表面材４ｄを配設して構成し、上骨４ａ内には上吊用ブラケット５０と連結するためのフレーム６０を配設するようにしている。
フレーム６０は、上吊用ブラケット５０との連結を引戸４の上骨４ａの上側で行うようにするため、上部を上骨４ａから突出した状態で引戸４に取り付けるようにしている。
【０００７】
この状態で、図６に示すように、上吊用レール３に挿入した上吊用ブラケット５０の下部は、上枠２ａより下方に露出しており、上吊用ブラケット５０と、引戸４の竪骨４ｂ、４ｂ間にボルト等の締結手段で固定され、上骨４ａ内に配設されるフレーム６０とを連結することによって上吊式引戸装置を完成させるようにしている（例えば、特許文献１の図５〜図７参照）。
【０００８】
【特許文献１】特許第３２４５５５９号公報
【発明の開示】
【発明が解決しようとする課題】
【０００９】
ところで、この上吊式引戸装置３０の施工に際して、引戸４の縦方向の調整は、上吊用ブラケット５０に穿孔したネジ穴５１と、該ネジ穴５１と対向する位置で、引戸４の上骨４ａから突出するように構成したフレーム６０の縦方向に複数個（図例では３個）穿孔した下穴６１ａ〜６１ｃ（以下、総称するときは下穴６１という）のうち、引戸４の高さ方向の位置が最適となる下穴６１を選択し、ネジ等の締結手段Ｂによって固定するようにしており、フレーム６０に穿孔した下穴６１の数に応じた段階的な調整しかすることができず、微調整が困難であるとともに、上枠２ａと引戸４の上面との僅かな隙間で取り付け作業を行う必要があり、作業が繁雑になるという問題があった。
【００１０】
また、通常の上吊式引戸装置３０では、上枠部分が天井面Ｃ２の下側に配設されることから、スチール製の上枠２ａが表出することによって意匠的な見栄えが低下することを防ぐ観点からスチール製の上枠２ａを木製の化粧枠２ａ’内に取り付けたり、化粧板を貼り付けたりする必要が生じ、コストアップの要因となっており、上枠を天井内に配設することが望まれているが、上枠２ａを天井内に配設すると、上吊用ブラケット５０とフレーム６０との連結作業を行うスペースがほぼ天井面Ｃ２と同一なり、汎用の工具では作業することができず、また、目視による確認も困難となり、事実上、上枠２ａを天井内に配設することができないという問題もあった。
【００１１】
本発明は、上記従来の上吊式引戸装置の有する問題点に鑑み、上枠を天井内に配設した場合でも、取り付け作業及び引戸の高さ調整を簡便に行うことのできる上吊式引戸装置を提供することを目的とする。
【課題を解決するための手段】
【００１２】
上記目的を達成するため、本発明の上吊式引戸装置は、上枠に取り付けた上吊用レールに、戸車を配設した上吊用ブラケットを介して引戸を取り付けるようにした上吊式引戸装置において、前記上吊用ブラケットを取り付けるフレームを引戸の上骨内に配設し、引戸の上骨には上吊用ブラケットとフレームとの連結作業用の作業穴を開口するとともに、連結後に化粧蓋で作業穴を塞ぐようにしたことを特徴とする。
【００１３】
この場合において、前記フレームには縦方向の長穴を開口し、上吊用ブラケットに穿孔したネジ穴と縦方向の位置調整を可能とするとともに、上吊用ブラケットには位置決め孔を穿孔し、縦方向の位置が決まった後に前記位置決め孔を介してフレームにネジ穴を穿孔可能とすることができる。
【００１４】
また、この場合において、上枠の側面のうち天井面よりも下側に見える範囲を、上枠の側面長さの０〜５％以内とすることもできる。
【発明の効果】
【００１５】
本発明の上吊式引戸装置によれば、上吊用ブラケットを取り付けるフレームを引戸の上骨内に配設し、引戸の上骨には上吊用ブラケットとフレームとの連結作業用の作業穴を開口するとともに、連結後に化粧蓋で作業穴を塞ぐようにしたから、上吊用ブラケットと引戸のフレームとの取り付け作業を引戸の上骨に開口した作業穴から簡単に効率よく行うことができるとともに、作業後に化粧蓋で作業穴を塞ぐことによって意匠的にも見栄えの良い上吊式引戸装置を提供することができる。
【００１６】
また、フレームには縦方向の長穴を開口し、上吊用ブラケットに穿孔したネジ穴と縦方向の位置調整を可能とするとともに、上吊用ブラケットには位置決め孔を穿孔し、縦方向の位置が決まった後に前記位置決め孔を介してフレームにネジ穴を穿孔可能としたときは、引戸の縦方向の位置調整を細かく行うことができ、ネジ等の締結手段で仮止めを行い、フレームと上吊用ブラケットとの位置ずれを防止した後に、フレームにネジ穴を穿孔して上吊用ブラケットと引戸のフレームとを確実に固定することができる。
【００１７】
また、上枠を天井内に入れ込み、上枠の側面のうち天井面よりも下側に見える範囲を、上枠の側面長さの０〜５％以内としても、上吊用ブラケットと引戸のフレームとの連結作業は前記の通り簡単に行うことができる。
【発明を実施するための最良の形態】
【００１８】
以下、本発明の上吊式引戸装置の実施の形態を、図面に基づいて説明する。
なお、従来装置と同様の構造については同一の符号、一連の符号を付し説明を省略する。
図１〜図４に、本発明の上吊式引戸装置の一実施例を示す。
【００１９】
この上吊式引戸装置１は、従来例と同様、壁面の開放部（出入口部）に取り付ける上枠２ａ、下枠２ｃ及び左右の両竪枠２ｂ、２ｂからなる引戸枠部材２と、上枠２ａに取り付けた複数（図例では２本）の上吊用レール３と、上吊用レール３に戸車７を配設した上吊用ブラケット５を介して取り付けた引戸４とを主要構成部品としている。
【００２０】
そして、上吊用ブラケット５を取り付けるフレーム６を引戸４の上骨４ａ内に配設し、引戸４の上骨４ａ及び表面材４ｄには上吊用ブラケット５とフレーム６との連結作業用の作業穴８を開口するとともに、連結後に化粧蓋９で作業穴８を塞ぐようにしている。
化粧蓋９は、その形状を特に限定されず、連結作業後に作業穴８を塞ぐことのできる形状であればよく、本実施例においては、図２に示すように、断面略Ｔ字状のキャップを利用することができる。
【００２１】
フレーム６は、上骨４ａ内に突出することなく配設することが好ましいが、上骨４ａの開口部から若干突出して配設しても構わない。
また、フレーム６には縦方向の長穴６ａを開口し、上吊用ブラケット５に穿孔したネジ穴５ａと縦方向の位置調整を可能とするとともに、上吊用ブラケット５には位置決め孔５ｂを穿孔し、縦方向の位置が決まった後、長穴６ａとネジ穴５ａとを仮固定した状態で、前記位置決め孔５ｂを介してフレーム６にネジ穴６ｂを穿孔し、フレーム６と上吊用ブラケット５との位置ずれを防止するようにしている。
この場合、上吊用ブラケット５には位置決め孔５ｂを複数個穿孔しておくことによって、縦方向の位置を再調整することができる。
【００２２】
フレーム６に開口する長穴６ａは、フレーム６を引戸４の上骨４ａ内に配設した際に、上骨４ａ及び表面材４ｄに開口した作業穴８から作業できる位置に開口するようにしている。
【００２３】
上吊用ブラケット５は、矩形の板状部材からなり、上部に戸車７を回動自在に配設するとともに、下方にネジ穴５ａと位置決め孔５ｂを穿孔するようにしている。
位置決め孔５ｂは、上吊用ブラケット５が引戸４の上骨４ａ内に入り、ネジ穴５ａをフレーム６の長穴６ａの位置に合わせたときに作業穴８から作業できる位置に穿孔するようにしている。
【００２４】
また、上吊用ブラケット５の板厚は、上部に稼動部材となる戸車７を配設することから、一定の強度が必要となるために、引戸４のサイズ、重量によって異なるものの、５ｍｍ程度（例えば、４．５ｍｍ）の板厚が必要となるのに対して、フレーム６の板厚は、フレーム６が上骨４ａ内で固定される部材であり、上吊用ブラケット５程度の強度は必要とならず、上吊用ブラケット５の半分程度の板厚（例えば２．３ｍｍ）の材料を使用することができ、現場作業で引戸４の縦方向の位置が決まった後に上吊用ブラケット５の位置決め孔５ｂを介して行うネジ穴６ｂを穿孔する作業が容易、かつ、迅速に行うことができる。
【００２５】
長穴６ａ及び位置決め孔５ｂは、上吊用ブラケット５又はフレーム６のいずれか一方にのみ穿孔することもでき、この場合、引戸４の上骨４ａ及び表面材４ｄに開口する作業穴８は片面に開口すればよく、１つの作業穴８で、上吊用ブラケット５とフレーム６とを連結することができる。
また、長穴６ａ及び位置決め孔５ｂを上吊用ブラケット５又はフレーム６のいずれか一方に穿孔する場合は、上吊用ブラケット５側に穿孔しておくことによって、上述の通りフレーム６の板厚の方が上吊用ブラケット５の板厚よりも薄く、現場作業でネジ穴６ｂを穿孔する作業が容易となる。
【００２６】
上記構成において、本発明の上吊式引戸装置の組立方法を説明する。
【００２７】
まず、上吊用ブラケット５の戸車７を、上吊用レール３のリップ部３ａに載置する。そして、引戸４を斜め下方から持ち上げるようにして引戸枠部材２内に進入させ、上骨４ａ内に上吊用ブラケット５の下方を進入させる。
【００２８】
次いで、図３（ａ）に示す位置に上吊用ブラケット５を移動させ、引戸４を上下方向に動かし、引戸４の縦方向の位置を決定し、図４（ａ）に示すように、作業穴８を介して、ネジ等の締結手段Ｂによって上吊用ブラケット５をフレーム６に仮止め固定する。
【００２９】
仮止め作業を行った作業穴８とは反対側の作業穴８からタップＴ等のねじ切り用の工具によって、上吊用ブラケット５の位置決め孔５ｂを介して、フレーム６にネジ穴６ｂを穿孔する。この場合、ドリルによって位置決め孔５ｂを介し、下穴を開けた後にねじ切りを行うようにしても構わない。
そして、タップＴによるねじ切り作業を行った作業穴８から位置決め孔５ｂを介して、ネジ等の締結手段Ｂを用いて上吊用ブラケット５をフレーム６に強固に固定する。
この場合、締結手段Ｂをタッピングネジとするときは、タップＴによるねじ切り作業を省略することができる。
【００３０】
両方向の作業穴８から上吊用ブラケット５とフレーム６とを固定した後、作業穴８には化粧蓋９を嵌入し、外部から上吊用ブラケット５、フレーム６、締結手段Ｂを隠し、意匠性を向上させる。
【００３１】
また、上枠２ａを図２に示すように、天井面Ｃ１よりも上側の天井内に入れ込み、上枠２ａの側面のうち天井面Ｃ１よりも下側に見える範囲Ｌ１を、例えば、上枠の側面長さＬ２の０〜５％以内というように、ほぼ無くすこともできる。
これによって、上枠２ａを木製の化粧枠内に取り付けたり、化粧板を貼り付けたりする必要がなくなり、設備全体のコストダウンになるとともに、見栄えの良い、意匠的に優れた上吊式引戸装置を提供することができる。
【００３２】
以上、本発明の上吊式引戸装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の上吊式引戸装置は、上枠を天井内に配設した場合でも、取り付け作業及び引戸の高さ調整が簡単に行うことができるという特性を有していることから、上枠が天井内に位置するように構成した上吊式引戸装置に好適に用いることができる。
【図面の簡単な説明】
【００３４】
【図１】本発明の上吊式引戸装置の一実施例を示す全体正面図である。
【図２】図１のＸ−Ｘ断面の一部切り欠きの側面図である。
【図３】上吊用ブラケットとフレームとを示し、（ａ）は図２のＹ−Ｙ断面図、（ｂ）は（ａ）のＺ−Ｚ断面図である。
【図４】上吊用ブラケットとフレームとの連結要領を示す説明図で、（ａ）は引戸の縦方向の位置を調整した後、上吊用ブラケットのネジ穴にフレームの長穴を介してネジ止めを行うところを、（ｂ）は仮固定の後に上吊用ブラケットの位置決め孔からフレームにネジ穴を穿孔するところを、（ｃ）はフレームに穿孔したネジ穴に上吊用ブラケットの位置決め孔を介してネジ止めするところを示す一部切り欠きの断面図である。
【図５】従来の上吊式引戸装置の全体正面図である。
【図６】図５のＷ−Ｗ断面の一部切り欠きの側面図である。
【図７】従来の上吊用ブラケットとフレームとを示す正面図である。
【符号の説明】
【００３５】
１    上吊式引戸装置
２ａ  上枠
３    上吊用レール
４    引戸
４ａ  上骨
４ｄ  表面材
５    上吊用ブラケット
５ａ  ネジ穴
５ｂ  位置決め孔
６    フレーム
６ａ  長穴
６ｂ  ネジ穴
７    戸車
８    作業穴
９    化粧蓋
【図１】
2009068171.tif 000003
【図２】
2009068171.tif 000004
【図３】
2009068171.tif 000005
【図４】
2009068171.tif 000006
【図５】
2009068171.tif 000007
【図６】
2009068171.tif 000008
【図７】
2009068171.tif 000009